(57)【要約】【課題】筐体を閉じた状態であっても時刻の視認性を十分に確保できると共に、高級感を持たせる。【解決手段】携帯電話１００の筐体１の表示側１ａの外側面、すなわち、筐体１を閉じた状態で外側となる面１ｃには、アナログ・クォーツ時計５０が設けられている。この携帯電話１００にあっては、このアナログ・クォーツ時計５０の時刻が、携帯電話１００が備えるディスプレイに表示された時計の時刻修正に連動して修正されるよう構成されている。【選択図】      図１
2004198198.tif 000002
【特許請求の範囲】
【請求項１】
筐体が開閉構造となる携帯情報機器であり、当該筐体を開いたときに現れる内部表示部を備え、当該内部表示部に時刻を表示する携帯情報機器において、
前記筐体を閉じたときに外側となる部分に、前記内部表示部に表示された時刻と同期して時刻を表示する指針式のアナログ時計が設けられ、
前記内部表示部に表示される時刻および前記アナログ時計が表示する時刻の各々を個別あるいは互いに連動させて修正する修正手段を具備する
ことを特徴とする携帯情報機器。
【請求項２】
前記修正手段は、
前記内部表示部に表示される時刻を修正する際には、前記アナログ時計が表示する時刻も修正する
ことを特徴とする請求項１に記載の携帯情報機器。
【請求項３】
ユーザが当該携帯情報機器を操作するための操作子を更に備え、
前記修正手段は、前記操作子の操作に応じて時刻を修正する
ことを特徴とする請求項２に記載の携帯情報機器。
【請求項４】
前記修正手段は、
前記アナログ時計の指針を初期位置に移動させた後、修正された時刻を表示させるべく前記指針を駆動する
ことを特徴とする請求項１に記載の携帯情報機器。
【請求項５】
前記修正手段によって駆動された前記指針が初期位置からずれていた場合に、当該ずれを修正する手段を更に
具備することを特徴とする請求項４に記載の携帯情報機器。
【請求項６】
前記内部表示部に表示する時刻を計時する回路からの信号に従って前記アナログ時計の指針を駆動する駆動手段を備え、
前記修正手段は、
前記指針の現在位置を検出する検出手段と、
修正された時刻を表示させるべく、前記駆動手段に、前記検出手段の検出結果に基づいて前記現在位置から前記指針を駆動させる駆動制御手段とを備える
ことを特徴とする請求項１に記載の携帯情報機器。
【請求項７】
前記駆動手段は、前記指針が備える針の各々に対して設けられる
ことを特徴とする請求項１乃至６のいずれかに記載の携帯情報機器。
【請求項８】
前記指針は、少なくとも秒針を備え、
前記秒針には、前記指針が備える他の針を駆動する駆動手段と独立した駆動手段が設けられる
ことを特徴とする請求項１乃至６のいずれかに記載の携帯情報機器。
【発明の詳細な説明】
【０００１】
【発明の属する技術分野】
この発明は、携帯電話やＰＤＡ（Personal Digital Assistants）等の携帯情報機器に関する。
【０００２】
【従来の技術】
現在、画面表示部と操作部とがヒンジ構造により結合し、このヒンジ構造により開閉可能なフリップ式の携帯電話が人気である。このフリップ式の携帯電話は、筐体を開いたときに通話側となる面に液晶表示パネルや有機ＥＬ（Electro Luminescence）パネルによる画像表示部、複数のボタンやジョグダイヤル等の操作部が位置している（例えば、特許文献１参照）。また、最近では、比較的高価な携帯電話には、筐体を閉じたときにも情報を表示できるように、画像表示部の反対面に比較的小さな画像表示部が設けられていることが多くなっている。この小さな画像表示部には、主に電力残量、電波状態、着信表示、デジタル時計等がデジタル表示されている。
【０００３】
ところで、最近の携帯電話の普及により腕時計を持たないユーザが増えている。彼らは時刻を知りたい場合、携帯電話の小さい画面表示部やメインの画像表示部に表示されている時計を見ることで、時刻を認識する。また、流行しているカフェ等では、女性がテーブル上に携帯電話を置き、クロック代わりにしている風景が見られるようになった。
【０００４】
【特許文献１】
特開２００２−９９１４号公報（図３）
【０００５】
【発明が解決しようとする課題】
しかしながら、上記従来のフリップ式の携帯電話は依然として液晶表示パネルや有機ＥＬパネルに時刻を表示しており、高級感やお洒落さに欠けるといった問題点がある。また、筐体の外側に設けた小さい画像表示部には、液晶パネルや有機ＥＬパネルが用いられ、時刻がデジタル表示されているのが現状であり、十分な視認性が確保されていないといった問題があった。
【０００６】
本発明は上述した事情に鑑みてなされたものであり、筐体を閉じた状態であっても時刻の視認性を十分に確保できると共に、高級感を有する携帯情報機器を提供することを目的とする。
【０００７】
【課題を解決するための手段】
上記目的を達成するために、本発明は、筐体が開閉構造となる携帯情報機器であり、当該筐体を開いたときに現れる内部表示部を備え、当該内部表示部に時刻を表示する携帯情報機器において、前記筐体を閉じたときに外側となる部分に、前記内部表示部に表示された時刻と同期して時刻を表示する指針式のアナログ時計が設けられ、前記内部表示部に表示される時刻および前記アナログ時計が表示する時刻の各々を個別あるいは互いに連動させて修正する修正手段を具備することを特徴とする携帯情報機器を提供する。
【０００８】
上記携帯情報機器によれば、筐体を閉じたときに外側となる部分に、前記内部表示部に表示された時刻と同期して時刻を表示する指針式のアナログ時計が設けられた構成となっているため、時刻の視認性を高めることができると共に、高級感を持たせることができる。
また、前記内部表示部に表示される時刻を修正する手段と、前記アナログ時計が表示する時刻を修正する手段とが共用される構成であるため、装置構成が簡易化され、低コスト化およびコンパクト化が可能となる。
【０００９】
ここで、前記修正手段は、前記内部表示部に表示される時刻を修正する際には、前記アナログ時計が表示する時刻も修正する構成が望ましい。
この望ましい構成によれば、内部表示部に表示される時刻が修正される際に、アナログ時計の時刻の修正も行われる構成であるため、例えばユーザは、時刻修正にかかる１回の操作で両者の時刻を修正することができる。
【００１０】
ここで、上記携帯情報機器は、ユーザが当該携帯情報機器を操作するための操作子を更に備え、前記修正手段は、前記操作子の操作に応じて時刻を修正する構成が望ましい。
【００１１】
また、前記修正手段は、前記アナログ時計の指針を初期位置に移動させた後、修正された時刻を表示させるべく前記指針を駆動する構成も望ましい。この構成において、前記修正手段によって駆動された前記指針が初期位置からずれていた場合に、当該ずれを修正する手段を更に具備する構成が望ましい。
【００１２】
さらにまた、前記内部表示部に表示する時刻を計時する回路からの信号に従って前記アナログ時計の指針を駆動する駆動手段を備え、前記修正手段は、前記指針の現在位置を検出する検出手段と、修正された時刻を表示させるべく、前記駆動手段に、前記検出手段の検出結果に基づいて前記現在位置から前記指針を駆動させる駆動制御手段とを備える構成も望ましい。
【００１３】
また、上記携帯情報機器において、前記駆動手段は、前記指針が備える針の各々に対して設けられる構成が望ましい。さらにまた、前記指針は、少なくとも秒針を備え、前記秒針には、前記指針が備える他の針を駆動する駆動手段と独立した駆動手段が設けられる構成も望ましい。
【００１４】
【発明の実施の形態】
以下、図面を参照して本発明の実施の形態について説明する。この実施形態では、携帯情報機器として携帯電話を例示する。
図１は、本発明の実施形態に係る携帯電話１００を示す斜視図である。また、図２は、図１に示した携帯電話１００の断面構成図である。この携帯電話１００は、その筐体１内に、二次電池である電源２と、携帯電話１００の制御等を行う回路基板３と、情報を表示する液晶表示パネルや有機ＥＬパネル等のディスプレイ４（内部表示部）と、アナログ・クォーツ時計５０のムーブメント５とを備えている。筐体１は、ヒンジ部６により全体的に二分割されたフリップ構造となり、図１（ｂ）に示すように、表示側１ａにディスプレイ４及びスピーカー７が設けられ、操作側１ｂに操作キー（操作パネル）８及びマイク９が設けられている。回路基板３は分割筐体１の表示側１ａに主に内蔵され、電源２は操作側１ｂに内蔵される。
【００１５】
また、筐体１の表示側１ａの外側面、即ち図１（ａ）に示すように、筐体１を閉じた状態で外側となる面１ｃには、アナログ・クォーツ時計５０が設けられている。アナログ・クォーツ時計５０の電源は携帯電話１００の電源２と共通である。このアナログ・クォーツ時計５０は、同図に示すように、三針式、すなわち、秒針５１２、分針５１３および時針５１４を備えたアナログ・クォーツ時計である。なお、アナログ・クォーツ時計５０として分針５１３と時針５１４のみからなる二針式のものを用いても良いことは勿論である。
【００１６】
このように、携帯電話１００が、その筐体１の表示側１ａの外側面（面１ｃ）に、アナログ・クォーツ時計５０を備える構成であることにより、ユーザは携帯電話１００を開かなくとも時刻を視認することができる。また、指針式であるため、デジタル時計と異なり視認性が向上すると共に、更に、デジタル表示の無機質感を払拭しデザイン上の高級感を持たせることができ、特に女性のユーザに好感を持たせることが期待できる。
【００１７】
ところで、上記のように、携帯電話１００にはディスプレイ４に表示される時計とアナログ・クォーツ時計５０との２つの時計が設けられることとなるが、ユーザが各時計１０、５０の時刻を修正する場合に、別々に時刻合わせすることはユーザに多くの手間をかけさせることとなる。また、ユーザが別々に時刻合わせをすると、２つの時計がずれてしまう可能性が高く、ユーザに不都合を生じる。そこで本実施形態では、携帯電話１００が備える操作キー８により、時計１０の修正と連動してアナログ・クォーツ時計５０の時刻が修正される構成としている。以下、かかる構成について説明する。
【００１８】
図３は、携帯電話１００の機能的構成を示すブロック図である。同図において、電源２、回路基板３、ディスプレイ４および操作キー８は、従来の一般的な携帯電話１００が備えるものであり、アナログ・クォーツ時計５０のムーブメントは、携帯電話１００の電源２から電力の供給を受ける構成となっている。一般的にアナログ・クォーツ時計５０の消費電力は通常の携帯電話の消費電力に比べて格段に小さいので、ムーブメントが電源２から電力を供給される構成としたとしても携帯電話１００の電力消費に悪影響を及ぼすことはない。なお、アナログ・クォーツ時計５０の電源として、携帯電話１００の電源ではなく、通常のボタン電池や太陽電池を用いても良いことは勿論である。
【００１９】
上述したように、ディスプレイ４にはデジタル表示またはアナログ表示を行う時計１０が表示される構成となっており、携帯電話１００が備える回路基板３上に設けられた集積回路３ａには、この時計１０の計時制御を行うための回路が集積されている。具体的には、集積回路３ａは、水晶発振子（クォーツ）を備え、所定周波数（例えば、３２．７６８ｋＨｚ）のクロック信号を分周回路３１に出力する発振回路３０を備えている。分周回路３１は、発振回路３０からのクロック信号を分周し、１Ｈｚのクロック信号を生成して駆動制御回路３２に出力する。駆動制御回路３２は、分周回路３１からのクロック信号に基づいて時刻を計時するカウンタ回路を備え、時刻情報を液晶表示体駆動回路３３に出力する一方で、秒モータ駆動回路３４に対して秒針５１２の運針タイミングを指示するクロック信号を出力すると共に、分時モータ駆動回路３５に分針５１３の運針タイミングを指示するクロック信号を出力する。
【００２０】
液晶表示体駆動回路３３は、ディスプレイ４が備える液晶パネルを駆動し、各種情報を表示させるものであり、駆動制御回路３２からの時刻情報に基づいて現在時刻を示す時計１０を表示させる。これにより、図１（ｂ）に示す如くの時計１０がディスプレイ４に表示されることとなる。
【００２１】
一方、秒モータ駆動回路３４は、駆動制御回路３２からのクロック信号に基づいてアナログ・クォーツ時計５０の秒針５１２を駆動すべく、アナログ・クォーツ時計５０のムーブメント５が備える秒電磁モータ５００、および、この秒電磁モータ５００に結合した輪列を駆動するものである。また、分時モータ駆動回路３５は、駆動制御回路３２からのクロック信号に基づいて分針５１３を駆動すべく、分時電磁モータ５０１、および、この分時電磁モータ５０１に結合した輪列を駆動するものである。すなわち、本実施形態にあっては、アナログ・クォーツ時計５０のムーブメント５が一般的な携帯電話１００が備える計時１０のための回路により駆動され、アナログ・クォーツ時計５０の秒針５１２、分針５１３および時針５１４の各々が運針する構成、換言すれば、アナログ・クォーツ時計５０が計時のための回路を携帯電話１００が従来備える回路と共有する構成となっているため、アナログ・クォーツ時計５０とディスプレイ４に表示される時計１０との間で同期のとれた、ずれのない時刻表示が可能となる。さらに、携帯電話１００がアナログ・クォーツ時計５０を備えたとしても、計時のための回路を１つにすることができるため、コストを低減することができる。なお、アナログ・クォーツ時計５０のムーブメント５の構成については後に詳述する。
【００２２】
また、本実施形態にあっては、ユーザが従来行っていたように携帯電話１００のディスプレイ４に表示される時計１０の時刻を修正するに伴い、これと連動してアナログ・クォーツ時計５０の時刻も修正される構成となっている。さらに詳述すると、携帯電話１００の集積回路３ａには、操作キー８の操作を検出し、操作状態に応じて各種回路に指示信号を出力するスイッチ制御回路３６が設けられており、ユーザが時刻修正にかかる操作をすると、スイッチ制御回路３６は、この操作を検出し、時刻修正回路３７に対してユーザによって修正された時刻を示す時刻修正信号を出力する。時刻修正回路３７は、時刻修正信号を受け取ると、ユーザによって修正された時刻にカウンタ値を修正することを指示する指示信号を駆動制御回路３２に出力し、これにより、駆動制御回路３２のカウンタ値が修正される。そして、駆動制御回路３２は、この修正された時刻をディスプレイ４の時計１０に表示させるべく、液晶表示体駆動回路３３を制御し、これにより、修正された時刻が時計１０により表示される。
【００２３】
また、駆動制御回路３２は、アナログ・クォーツ時計５０の時刻表示を修正された時刻に合わせるべく秒モータ駆動回路３４および分時モータ駆動回路３５の各々を制御する。しかしながら、上述したように、駆動制御回路３２は、秒針５１２、分針５１３および時針５１４の運針タイミングを秒モータ駆動回路３４および分時モータ駆動回路３５のみに伝えるだけであり、各針５１２、５１３、５１４が現在どの位置を指しているかは認識していない。そこで、本実施形態では、アナログ・クォーツ時計５０の時刻表示を修正する際に、秒針５１２、分針５１３および時針５１４の各々を一端初期位置（例えば０時０分０秒）まで戻した後、ユーザによって修正された時刻まで移動させる構成となっている。
【００２４】
具体的には、スイッチ制御回路３６は、ユーザによる時刻修正の操作を検出すると、時刻修正が行われることを示す信号を０位置修正回路３８に出力する。０位置修正回路３８は、スイッチ制御回路３６からの信号を受け取ると、秒針５１２、分針５１３および時針５１４の各々を初期位置に戻させるべく、駆動制御回路３２に対してリセット信号を出力する。駆動制御回路３２は、リセット信号が入力されると、秒モータ駆動回路３４および分時モータ駆動回路３５の各々にクロック信号を出力し、秒針５１２、分針５１３および時針５１４の各々を初期位置まで運針させる。具体的には、駆動制御回路３２は、現在の秒針５１２の位置に基づいて初期位置まで移動させるのに必要な数のクロック信号を秒モータ駆動回路３４に出力する一方で、現在の分針５１３および時針５１４の位置に基づいて各針を初期位置まで移動させるのに必要な数のクロック信号を分時モータ駆動回路３５に出力する。これにより、時刻修正開始時には、秒針５１２、分針５１３および時針５１４が一端初期位置まで移動する。そして、駆動制御回路３２は、アナログ・クォーツ時計５０に修正された時刻を表示させるべく、時刻修正回路３７からの指示信号に基づいて秒モータ駆動回路３４および分時モータ駆動回路３５の各々にクロック信号を出力する。ここで、上述したディスプレイ４に表示される時計１０の時刻が修正されるタイミングと、アナログ・クォーツ時計５０の時刻が修正されるタイミングとは、各々の時計が時刻修正後に計時を開始するタイミングが同じであれば、どちらが先でも、また、同時でも良い。このように、アナログ・クォーツ時計５０の時刻表示がディスプレイ４の時計１０の時刻修正と連動して自動的に修正される構成となっているため、ユーザは、従来の携帯電話１００の時刻修正を行うだけで、アナログ・クォーツ時計５０の時刻をも容易に修正することができる。
また、一般的に、例えば回路がリセットされるなどして上述の初期位置に各針５１２、５１３、５１４が戻らず、初期位置がずれることがある。そこで本実施形態では、各針５１２、５１３、５１４が初期位置からずれている場合に、ユーザが操作キー８を操作して各針５１２、５１３、５１４を初期位置に戻す構成となっている。より具体的には、ユーザが各針５１２、５１３、５１４の初期位置からのずれ量を、操作キー８を用いて入力し（例えば分針５１３を５分送るなど）、この入力がスイッチ制御回路３６、時刻修正回路３７を経て駆動制御回路３２に出力される。そして駆動制御回路３２は、ユーザによって入力された量だけ各針５１２、５１３、５１４を駆動すべく、秒モータ駆動回路３４、分時モータ駆動回路３５にクロック信号を出力する。なお、初期位置ずれの修正に際しては、ディスプレイ４に表示された時計１０の時刻を修正することはないため、駆動制御回路３２は、液晶表示体駆動回路３３への信号出力は行わず、アナログ・クォーツ時計５０の各針５１２、５１３、５１４のみが駆動される。なお、各針５１２、５１３、５１４が初期位置からずれている場合に、このずれた位置をユーザが入力するなどして、ずれた位置を新たな初期位置とする構成であっても良い。要するに、現時点（修正時）での各針５１２、５１３、５１４の位置が認識されれば良いのである。
【００２５】
次いで、アナログ・クォーツ時計５０が備えるムーブメント５の構成と共に、このムーブメント５の携帯電話１００への実装について説明する。図４は、ムーブメント５の機械的構成を示す上面図であり、図５は、その断面図である。図４および図５に示すように、ムーブメント５は、秒針５１２を運針駆動するための駆動機構と、分針５１３および時針５１４を運針駆動するための駆動機構とを各々独立して備えている。より具体的には、ムーブメント５は、秒針５１２を駆動する駆動機構として、永久磁石からなる秒ロータ５００ａ、この秒ロータ５００ａの回りに設けられた高透磁材からなる秒ステータ５００ｂ、および、秒モータ駆動回路３４からのクロック信号に応じて秒ステータ５００ｂに磁界を発生する秒コイルブロック５００ｃとからなる秒電磁モータ５００と、この秒ロータ５００ａの回転と連動する五番車５０６と、この五番車５０６と連動して秒針５１２を駆動する四番車５０７とを備えている。すなわち、秒コイルブロック５００ｃに秒モータ駆動回路３４からクロック信号（パルス電圧）が入力されると、電磁誘導により秒ステータ５００ｂに磁界が発生し、この磁界により秒ロータ５００ａが回転する。この回転は、五番車５０６を介して四番車５０７に伝達され、これにより、秒針５１２が駆動される。
【００２６】
また、ムーブメント５は、分針５１３および時針５１４を駆動する駆動機構として、分時ロータ５０１ａ、分時ステータ５０１ｂおよび分時コイルブロック５０１ｃからなる分時電磁モータ５０１と、この分時ロータ５０１ａの回転と連動する中間車５０８と、この中間車５０８と連動して分針５１３を駆動する二番車５０９とを備えている。更に、ムーブメント５は、二番車５０９と噛合する日の裏車５１０と、この日の裏車５１０と連動して時針５１４を駆動する筒車５１１を備えている。すなわち、分時モータ駆動回路３５からのクロック信号が分時コイルブロック５０１ｃに入力されると、秒電磁モータ５００と同様に、分時電ロータ５０１ａが回転し、この回転が中間車５０８を介して二番車５０９に伝達され、分針５１３が駆動される。また、二番車５０９の回転は、日の裏車５１０を介して筒車５１１にも伝達され、時針５１４が駆動される。
【００２７】
このように、本実施形態では、秒針５１２と分針５１３、時針５１４とが各々独立した駆動機構により駆動される構成となっているが、これは次の理由による。すなわち、本実施形態では、アナログ・クォーツ時計５０の時刻修正には、時刻修正機構および回路を携帯電話１００の回路と共用するため、一般的なアナログ時計にて行われるように機械的構造によって竜頭を回転させて時刻を修正するのではなく、電磁モータに電気的な信号を入力することにより時刻を修正する構成となっている。この構成において、各針５１２、５１３、５１４が１つの駆動機構から歯車駆動の連動により各々駆動されるとすると、例えば、１時間の修正をするのに、６０×６０＝３６００秒分を駆動させなければならない。仮に１２８Ｈｚの早送り駆動をしても約２８（≒３６００／１２８）秒かかることとなり、時刻修正に時間と手間が非常にかかってしまう。
【００２８】
そこで、本実施形態では、時刻の最小単位である秒を刻む秒針５１２と、分針５１３および時針５１４とを各々独立の駆動機構にて駆動し、時刻修正に要する時間を短縮しているのである。なお、これと同様に、分針５１３と時針５１４とを各々独立の駆動機構にて駆動させる構成であっても良く、これにより、時刻修正に要する時間を更に短縮することが可能である。
【００２９】
さて、上述した駆動機構が備える輪列は、図５に示すように、輪列受５４５により軸支されており、ガタなどが防止される構成となっている。更に、図４に示すように、上記秒電磁モータ５００が備える秒コイルブロック５００ｃはフレキシブル基板５５０からリード線が引き出された秒コイルリード基板５６０に電気的に接続され、また、分時電磁モータ５０１が備える分時コイルブロック５０１ｃは、フレキシブル基板５５０からリード線が引き出された分時コイルリード基板５６１に電気的に接続されている。さらに、フレキシブル基板５５０は、図６に示すように、携帯電話１００が備える回路基板３に、はんだ付け部５７０を介して電気的に接続される。すなわち、秒コイルブロック５００ｃおよび分時コイルブロック５０１ｃは、回路基板３と導通がとられており、回路基板３上の集積回路３ａが備える秒モータ駆動回路３４および分時モータ駆動回路３５からのクロック信号が、対応するコイルブロック５００ｃ、５０１ｃの夫々に入力される。また、フレキシブル基板５５０およびコイルリード基板５６０の各々は、回路押え板５６５によって文字板５８０の方向に押え付けられている。
【００３０】
上述したように、このアナログ・クォーツ時計５０は、液晶パネルを供えるディスプレイ４の裏側、すなわち、筐体１を閉じた状態で外側となる面１ｃに設けられている。より具体的には、図６に示すように、アナログ・クォーツ時計５０は、四角形の胴５９１にムーブメント５と共に嵌め込み固定されている。より具体的には、図７に示すように、アナログ・クォーツ時計５０は、ムーブメント５、文字板５８０、各針５１４、５１３、５１２が、この順で積層し、胴５９１に収容されている。また、文字板５８０の周囲には縁５９２が設けられ、この縁５９２の上に文字板５８０を覆うカバーガラス５８２が設けられている。一方、ディスプレイ４の図面上側には、プラスチック材からなる受部材５９０が設けられており、この受部材５９０の上面には、胴５９１と係合する凹部５９１ａが形成されており、この凹部５９１ａに胴５９１を嵌め込むことにより、アナログ・クォーツ時計５０が取り付け固定される。このように、胴部５９１と凹部５９１ａとの形状が多角形となっているため、アナログ・クォーツ時計５０を固定する際の位置決めが容易となり、また、アナログ・クォーツ時計５０の回転が防止されることとなる。
【００３１】
以上説明したように、本実施形態によれば、携帯電話１００が、その筐体１の表示側１ａの外側面（面１ｃ）に、アナログ・クォーツ時計５０を備える構成であるため、ユーザは携帯電話１００を開かなくとも時刻を視認することができる。また、指針式であるため、デジタル時計と異なり視認性が向上すると共に、更に、デジタル表示の無機質感を払拭しデザイン上の高級感を持たせることができる。
【００３２】
また、アナログ・クォーツ時計５０の計時のための回路を携帯電話１００が備える回路と共用にする構成であるため、アナログ・クォーツ時計５０と携帯電話１００のディスプレイ４に表示される時計１０との間で時刻のずれが防止される。さらにまた、ユーザが携帯電話１００の時刻を修正するために従来から行っていた操作に連動してアナログ・クォーツ時計５０の時刻も修正される構成としたため、ユーザは、簡単な操作でアナログ・クォーツ時計５０と時計１０との各々の時刻修正を同時に行うことができる。
【００３３】
また、時刻の最小単位である秒を刻む秒針５１２と、分針５１３および時針５１４とを各々独立の駆動機構にて駆動する構成であるため、時刻修正に要する時間を短縮できる。
【００３４】
＜変形例＞
上述した実施形態は、あくまでも本発明の一態様であり、これに限定されるものではなく、本発明の範囲内で任意に変形可能である。そこで、以下に本発明の変形例について説明する。
【００３５】
（１）上述した実施形態において、アナログ・クォーツ時計５０の時刻修正の際に、各針５１２、５１３、５１４を初期位置に一端戻す構成としたが、これに限らない。すなわち、時刻修正の際に、各針５１２、５１３、５１４の現在位置が認識されれば良く、各針５１２、５１３、５１４が取り付けられている四番車５０７、二番車５０９、筒車５１１の各々に回転位置を検出するセンサを設け、このセンサからの検出信号に基づいて各針５１２、５１３、５１４の現在位置を認識する構成としても良い。このセンサとしては、例えば光センサや磁気センサ、静電容量を利用するセンサなどの非接触センサを用いることが望ましい。また、透過型センサおよび反射型センサのいずれも用いることが可能ではあるが、反射型センサを用いることにより筐体１を薄型化することが可能である。
【００３６】
（２）また、上述した実施形態にあっては、アナログ・クォーツ時計５０とディスプレイ４に表示される時計１０とをユーザが操作キー８を操作して修正する構成について例示したが、携帯電話１００が従来から備える時計１０の時刻修正と連動してアナログ・クォーツ時計５０の時刻が修正される構成であれば良く、例えば、独立行政法人通信総合研究所の日本標準時グループによって送信されている標準電波（日本の標準時刻を示す電波）を受信して、時刻を自動的に修正する電波時計としての機能を備えた構成であっても良い。
【００３７】
（３）上述した実施形態では、携帯情報機器として携帯電話を例示して説明したが、当該携帯電話のみならず、例えば、ＰＤＡと呼ばれる携帯情報機器や携帯型パーソナルコンピュータ、デジタルスチルカメラ、デジタルビデオカメラ、液晶テレビ、ページャ、電子手帳、電卓などが挙げられる。また、筐体がフリップ式でなくても、スライドする蓋が筐体に設けられ、当該蓋をスライドすることでメインのディスプレイが現れるような携帯情報機器の場合、このスライド蓋に、上記アナログ・クォーツ時計を設けても良い。
【００３８】
（４）上述した実施形態では、ディスプレイ４に表示される時計１０とアナログ・クォーツ時計５０との各々が同時に修正される構成としたが、これに限らない。すなわち、時計１０またはアナログ・クォーツ時計５０のいずれか一方の時刻を修正する構成としても良い。より具体的には、ユーザが操作キー８により、時刻修正の対象として時計１０およびアナログ・クォーツ時計５０から選択可能に構成する。そして、時刻修正の際には、駆動制御回路３２は、ユーザによって時計１０が選択されている場合には、液晶表示体駆動回路３３のみに信号を出力し、また、アナログ・クォーツ時計５０が選択されている場合には、秒モータ駆動回路３４および分時モータ駆動回路３５にクロック信号を出力する。これにより、片方の時計の時刻だけがずれている場合や、ユーザが故意に片方の時計の時刻をずらしたい場合に、対象となる時計の時刻のみを修正することができる。
【００３９】
【発明の効果】
以上説明したように、本発明によれば、筐体を閉じた状態であっても時刻の視認性を十分に確保できると共に、高級感を有する携帯情報機器が提供される。
【図面の簡単な説明】
【図１】本発明の実施形態に係る携帯電話の外観構成を示す斜視図である。
【図２】同携帯電話の断面構成図である。
【図３】同携帯電話の機能的構成を示すブロック図である。
【図４】同アナログ・クォーツ時計のムーブメントの構成を示す上面図である。
【図５】同アナログ・クォーツ時計のムーブメントの構成を示す断面図である。
【図６】同アナログ・クォーツ時計の携帯電話への取り付けを説明するための上面図である。
【図７】同アナログ・クォーツ時計の携帯電話への取り付けを説明するための側断面図である。
【符号の説明】
１・・・筐体
３・・・回路基板
３ａ・・・集積回路
４・・・ディスプレイ
５・・・ムーブメント
８・・・操作キー
１０・・・時計
３２・・・駆動制御回路
３４・・・秒モータ駆動回路
３５・・・分時モータ駆動回路
５０・・・アナログ・クォーツ時計
１００・・・携帯電話
【図１】
2004198198.tif 000003
【図２】
2004198198.tif 000004
【図３】
2004198198.tif 000005
【図４】
2004198198.tif 000006
【図５】
2004198198.tif 000007
【図６】
2004198198.tif 000008
【図７】
2004198198.tif 000009